(57)【要約】  【課題】  照明器具本体の脱出を良好に防止できる。  【解決手段】  包装箱１の内底面上に設置した固定具２の上部を照明器具本体３の孔４に通すとともに、固定具２の上部に横方向に形成した貫通孔５に抜け止め具６を貫通装着して照明器具本体３の脱出を防止した照明器具包装装置である。固定具２の上部に横方向に形成した貫通孔５に抜け止め具６を貫通装着したため、照明器具本体３の脱出を良好に防止できる。なお、固定具２は紙パルプを主材料とした下面開放のパルプモールド成形品が好ましい。【選択図】  図４
2006062658.tif 000002
【特許請求の範囲】
【請求項１】
包装箱の内底面上に設置した固定具の上部を照明器具本体の孔に通すとともに、固定具の上部に横方向に形成した貫通孔に抜け止め具を貫通装着して照明器具本体の脱出を防止した照明器具包装装置。
【請求項２】
請求項１において、固定具が通されるとともに抜け止め具の下面に介在した間挿体を備え、間挿体は照明器具本体の凹部に嵌め込まれている照明器具包装装置。
【請求項３】
請求項１において、抜け止め具の端部には中央部付近より薄肉になるように突出した突片を備えた照明器具包装装置。
【請求項４】
請求項３において、突片は抜け止め具の下端に延長して設けられた照明器具包装装置。
【請求項５】
請求項１において、貫通孔はその下縁が固定具に形成した中間段部の上縁と略一致するように形成された照明器具包装装置。
【請求項６】
請求項１において、照明器具本体を載置するために固定具の下部に形成した載置段部の上面に複数の凸部を突出形成した照明器具包装装置。
【発明の詳細な説明】
【技術分野】
【０００１】
本発明は、照明器具を包装する装置に関する。
【背景技術】
【０００２】
特許文献１では、包装箱の内底面上に設置した固定具の上部を照明器具本体の孔に通すとともに、固定具の上部に形成した複数の小さな突片に抜け止め具を回転装着して照明器具本体の脱出を防止した照明器具包装装置が開示されている。
【特許文献１】特許第３４５４５０７号公報
【発明の開示】
【発明が解決しようとする課題】
【０００３】
しかし、振動や衝撃などで照明器具本体が回転すると固定具から外れやすいという解決すべき課題があることに着目されるべきである。本発明はこのような解決すべき課題を鑑み、照明器具本体の脱出を良好に防止できることを目的とする。
【課題を解決するための手段】
【０００４】
本発明を要約すると、包装箱の内底面上に設置した固定具の上部を照明器具本体の孔に通すとともに、固定具の上部に横方向に形成した貫通孔に抜け止め具を貫通装着して照明器具本体の脱出を防止した照明器具包装装置である。
【発明の効果】
【０００５】
本発明によれば、固定具の上部に横方向に形成した貫通孔に抜け止め具を貫通装着したため、照明器具本体の脱出を良好に防止できる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、包装箱１の内底面上に設置した固定具２の上部を照明器具本体３の孔４に通すとともに、固定具２の上部に横方向に形成した貫通孔５に抜け止め具６を貫通装着して照明器具本体３の脱出を防止した照明器具包装装置である。本実施形態によれば、固定具２の上部に横方向に形成した貫通孔５に抜け止め具６を貫通装着したため、照明器具本体３の脱出を良好に防止できる。なお、固定具２は紙パルプを主材料とした下面開放のパルプモールド成形品が好ましい。
【０００８】
また、固定具２が通されるとともに抜け止め具６の下面に介在した間挿体７を備え、間挿体７は照明器具本体３の凹部８に嵌め込まれている。例えば、間挿体７はダンボール紙を折り重ねて形成されている。そして、間挿体７は照明器具本体の種類によって異なる凹部形状に対応して種々構成して、抜け止め具６は共通に使用するとよい。また、抜け止め具６の端部には中央部付近より薄肉になるように突出した突片９を備えている。例えば、抜け止め具６もダンボール紙を折り重ねて形成されているが、その端部は１枚形状のものである。そうすると、突片９を貫通孔５にくぐらせる際にくぐらせやすく、途中までくぐらせた後、突片９を貫通孔５の反対側から引っ張ることで抜け止め具６を貫通孔５に装着しやすくなる。また、突片９を抜け止め具６の下端に延長して設けると、突片９が貫通孔５の上縁に当たりにくいため、突片９を貫通孔５にくぐらせる際の作業性が向上する。
【０００９】
また、貫通孔５はその下縁が固定具２に形成した中間段部１０の上縁と略一致するように形成されている。この構成によると、一旦、貫通孔５を形成せずに成形した固定具２を後加工によりカットして貫通孔５を形成するときの貫通孔５の下限を決めやすい。また、照明器具本体３を載置するために固定具２の下部に形成した載置段部１１の上面に複数の凸部１２…を突出形成している。これによると、照明器具本体３は複数の凸部１２…により点接触的に支持されるようになり、照明器具本体３の回転が防止されやすくなって、包装時の安定性が優れている。
【００１０】
さらに詳述すれば、包装箱１は側面に開閉可能なフラップ１３…をもち、フラップ１３…を開いた状態で照明器具本体３・固定具２・抜け止め具６・その他を包装箱１に収めてから、フラップ１３…を閉じて粘着テープなど封緘するものである。また、固定具２の底板１４には上向きに膨出成形した突起１５…が形成され、突起１５…は段ボール紙からなる中板１６の孔１７…に嵌め合わされ、かつ、載置段部１１の外周縁が孔１８に嵌め合わされる。また、グローブ１９は照明器具本体３に重ねられ、グローブ１９の外周は段ボール紙からなる緩衝筒２０で保護され、かつ、緩衝筒２０の下端は中板１６を押さえることにより、包装箱１を逆さにした状態で中板１６がずれ落ちないようにしている。そうすると、固定具２に抜け止め具６で支えられた照明器具本体３がずれ落ちないものとなり、樹脂製など割れやすいグローブ１９の破損防止にも寄与する。なお、照明器具本体３にはランプ２１が保持され、照明器具本体３の凹部８からは受電プラグ２２が引き出されている。なお、固定具２を包装箱１の内底面上に設置する手法としては、中板１６を使用せずに固定具２を包装箱１の内底面の一部を切り起こすなどしてそれに対して係止固定してもよいし、場合によっては、固定具２を包装箱１の内底面上に単に載置するだけでもよい。
【００１１】
次に図６〜８を中心に説明すると、ダンボール紙などによる中板１６のコーナー付近には、コーナー側が切り込まれコーナー落下の衝撃で飛び出すことによりコーナー側の衝撃圧縮を容易とした略半円形状の衝撃作動片２３を設けている。なお、衝撃作動片２３の基端ではその裏面側のみ切り込まれて表面側が中板１６の表面と薄くつながった状態として、衝撃作動片２３が飛び出しやすくなっているのが好ましい。これによると、コーナー落下時の衝撃で衝撃作動片２３が図７(B)のように飛び出すので、衝撃作動片２３よりコーナー側の形状保持力が弱くなり、図７(C)のように中板１６のコーナー側が衝撃圧縮されて衝撃吸収され、照明器具本体３やグローブ１９には衝撃が及びにくくなり、それらの破損を防止しやすい利点がある。衝撃作動片２３の他の例としては図８(A)(B)(C)のように長方形、台形、三角形などでももちろんよい。
【図面の簡単な説明】
【００１２】
【図１】本発明の実施形態を示す分解斜視図
【図２】同固定具の斜視図
【図３】同包装箱の斜視図
【図４】同包装時の断面図
【図５】同要部斜視図
【図６】同中板及びグローブの斜視図
【図７】(A)(B)(C)は同コーナー落下時の衝撃による圧縮変形過程を示す部分斜視図
【図８】(A)(B)(C)は本発明の他の実施形態を各々示す中板の部分平面図
【符号の説明】
【００１３】
１  包装箱
２  固定具
３  照明器具本体
４  孔
５  貫通孔
６  抜け止め具
７  間挿体
８  凹部
９  突片
１０  中間段部
１１  載置段部
１２  凸部
１６  中板
２３  衝撃作動片
【図１】
2006062658.tif 000003
【図２】
2006062658.tif 000004
【図３】
2006062658.tif 000005
【図４】
2006062658.tif 000006
【図５】
2006062658.tif 000007
【図６】
2006062658.tif 000008
【図７】
2006062658.tif 000009
【図８】
2006062658.tif 000010